(57)【要約】【課題】写真プリントの注文を容易に行うと共に、撮影画像の閲覧性を向上することができる写真プリント注文用情報生成装置を提供することを目的とする。【解決手段】コマ番号を含む静止画データ、及び静止画を動画データに変換するための編集情報を入力してコマ番号データ及び編集データを生成し、コマ番号データ、編集データ、及び静止画データを出力する注文情報生成装置１６と、コマ番号データ及び編集データに基づいてコマ画像からなる副映像ストリームを生成する副映像ストリーム生成装置２２と、静止画データ及び編集データに基づいて映像ストリームを生成する映像ストリーム生成装置２２と、各ストリームを多重化してＤＶＤビデオデータを生成するストリーム多重化装置２６と、からなる編集装置１８と、ＤＶＤビデオデータ及びオリジナルの静止画データをＤＶＤビデオディスク２８に記録するディスク書込装置２０と、を設ける。【選択図】　　　　図１
2004128686.tif 000002
【特許請求の範囲】
【請求項１】
静止画像を識別する識別情報を含むと共に静止画像を表す静止画データに基づいて、該識別情報を表す識別データを生成し、かつ複数の前記静止画データを動画像形式の画像データに変換するための編集指示情報に基づいて編集データを生成する生成手段と、
前記生成手段によって生成された前記編集データに基づいて、複数の前記静止画データをフレーム画像とする動画像形式の動画データを生成することにより映像ストリームを生成する映像ストリーム生成手段と、
前記識別データに基づいて、前記識別情報を表す識別画像を生成すると共に、前記編集データに基づいて、前記映像ストリームの各フレーム画像に前記識別画像を対応させる副映像ストリームを生成する副映像ストリーム生成手段と、
前記映像ストリーム及び前記副映像ストリームを多重化して多重化ストリームを生成する多重化ストリーム生成手段と、
前記多重化ストリーム及び前記複数の静止画データを写真プリントの注文用情報として記録媒体に記録する記録手段と、
を含む写真プリント注文用情報生成装置。
【請求項２】
写真プリントを作成するための注文情報と、静止画像を表す静止画データに基づいて、写真プリントを作成する写真プリント注文システムであって、
請求項１に記載の写真プリント注文用情報生成装置と、
前記記録手段によって記録された前記多重化ストリームを読み取る読取手段と、前記読取手段によって読み取った多重化ストリームに基づいて、動画像を再生表示する再生手段と、を備えた再生装置と、
前記再生装置の前記再生表示に基づいて予め作成した前記注文情報を入力するための注文情報入力手段と、前記注文情報入力手段によって入力された前記注文情報に対応する静止画データを前記記録媒体から読み取るデータ読取手段と、前記注文情報入力手段によって入力された注文情報、及び前記データ読取手段によって読み取った静止画データに基づいて、写真プリントを作成する作成手段と、を備えたプリント作成装置と、
からなることを特徴とする写真プリント注文システム。
【発明の詳細な説明】
【０００１】
【発明の属する技術分野】
本発明は、写真プリント注文用情報生成装置及び写真プリント注文システムにかかり、特に、写真プリントの作成注文を行うための注文用情報を生成する写真プリント注文用情報生成装置及びこれを備えた写真プリント注文システムに関する。
【０００２】
【従来の技術】
近年、簡便に撮影可能なＣＣＤ撮像素子などを用いた撮像装置として、デジタルカメラが数多く流通している。デジタルカメラは、その撮影時には、ＣＣＤ撮像素子などで光量に応じた電荷（光電変換）を画素毎に読み取って、画像データに変換した後に、撮影画像を画像データとして記録媒体に記録している。
【０００３】
また、この種のデジタルカメラでは、静止画像のみならず動画像を撮影することも可能となってきている。
【０００４】
静止画像の画像データは、写真店やラボなどのサービス店にて、印画紙等にプリントすることによって、銀塩写真と同様の写真画像を得ることができる。
【０００５】
写真店やラボなどのサービス店に写真画像データのプリントを依頼する際に、プリントサイズや枚数などを店頭で指示するのではなく電子データ形式のプリント注文情報として伝達するプリント注文方法が提案されている。例えば、特許文献１では、現像済フィルムを読み取って得られる写真画像の画像データを、プリントサービスに関するプリントサービス情報と共に記録媒体に記録し、その画像データのプリント注文情報において、記録媒体に記録されたプリントサービス情報を画像データと共に注文画像面に表示し、表示されたプリントサービス情報を使用して、画像データに関するプリントサービスを要求するためのプリント注文情報を作成することが提案されている。
【０００６】
また、写真画像をテレビ画面に表示させる試みが行われており、テレビ画面で確認した画像をプリント注文する場合のプリントコマ番号の指定を簡便に行う方法として、コマ番号を画像に変換して写真画像に埋め込むなどして情報提供を行うことなどが提案されている。
【０００７】
【特許文献１】
特開平１０−２１４２９５号公報（第１頁、第２図）
【０００８】
【発明が解決しようとする課題】
しかしながら、静止画像や動画像に文字情報など付加情報を付加して記録されたものを表示装置に表示させる場合、従来は文字情報を画像や動画像として直接静止画像や動画像の映像部分に埋め込む手法が一般的であり、この場合、静止画像や動画像に文字が画像として埋め込んだ画像を生成する必要があると共に、埋め込まれた文字部分を取り除いた画像を取得することが不可能であった。
【０００９】
この問題を解決するために、画像データと文字データを分離して記録し、再生時に合成を行うクローズドキャプションなどの手法が考案されている。近年急速な普及の見られるＤＶＤ（Ｄｉｇｉｔａｌ　Ｖｅｒｓａｔｉｌｅ　Ｄｉｓｋ）ビデオにおいても、映像と文字情報を個別に多重記録を行い、再生時に合成表示する手法が採用されている。これら文字情報は、字幕などの音声情報を文字として記録する形での利用が一般的であった。
【００１０】
本発明は、上記事実を考慮して成されたもので、字幕として使用される文字情報部分を利用することによって、写真プリントの注文を容易に行うと共に、撮影画像の閲覧性を向上することができる写真プリント注文用情報生成装置及び写真プリント注文システムを提供することを目的とする。
【００１１】
【課題を解決するための手段】
上記目的を達成するために請求項１に記載の発明は、静止画像を識別する識別情報を含むと共に静止画像を表す静止画データに基づいて、該識別情報を表す識別データを生成し、かつ複数の前記静止画データを動画像形式の画像データに変換するための編集指示情報に基づいて編集データを生成する生成手段と、前記生成手段によって生成された前記編集データに基づいて、複数の前記静止画データをフレーム画像とする動画像形式の動画データを生成することにより映像ストリームを生成する映像ストリーム生成手段と、前記識別データに基づいて、前記識別情報を表す識別画像を生成すると共に、前記編集データに基づいて、前記映像ストリームの各フレーム画像に前記識別画像を対応させる副映像ストリームを生成する副映像ストリーム生成手段と、前記映像ストリーム及び前記副映像ストリームを多重化して多重化ストリームを生成する多重化ストリーム生成手段と、前記多重化ストリーム及び前記複数の静止画データを写真プリントの注文用情報として記録媒体に記録する記録手段と、を含むことを特徴としている。
【００１２】
請求項１に記載の発明によれば、生成手段によって、静止画像を識別する識別情報を含むと共に静止画像を表す静止画データに基づいて識別情報を表す識別データが生成される。また、複数の静止画データを動画像形式の動画データへ変換するための編集指示情報に基づいて、編集指示情報を表す編集データが生成される。例えば、デジタルカメラ等の撮影装置により撮影することによって得られる静止画データや、写真フィルムに記録された画像をＣＣＤ等の読取装置で読み取ることによって得られる静止画データを複数取得する。そして、このとき、各静止画像を識別するコマ番号を表すコマ番号情報を同時に取得し、コマ番号情報からコマ番号を表すコマ番号データを生成する。また、複数の静止画データを動画データに変換するにあたり、複数の静止画データを並べる順番等の編集指示情報を例えばキーボード等の入力手段を介して取得し、編集指示情報を表す編集データを生成する。
【００１３】
映像ストリーム生成手段では、編集データの内容に基づいて、複数の静止画データをフレーム画像とした動画像形式の動画データを生成することにより映像ストリームが生成される。例えば、静止画データを動画データに変換するにあたり、動画データに好適なデータサイズに変換する等の処理を行って、各静止画データを編集指示情報に応じて並べて動画像を作成する。
【００１４】
副映像ストリーム生成手段では、識別データに基づいて、識別情報を表す識別画像が生成されると共に、編集データに基づいて、映像ストリームの各フレーム画像に識別画像を対応させる副映像ストリームが生成される。例えば、副映像ストリーム生成手段では、コマ番号を表すコマ番号画像を生成して、編集データの内容に応じて、字幕のように、映像に対応するコマ番号画像を並べた副映像ストリームを生成する。
【００１５】
そして、多重化ストリーム生成手段では、映像ストリーム生成手段によって生成された映像ストリームと、副映像ストリーム生成手段によって生成された副映像ストリームが多重化されて多重化ストリームが生成され、記録手段によって、生成された多重化ストリームが写真プリント注文用情報として記録される。例えば、記録手段は、多重化ストリームをＤＶＤ等の記録媒体に記録する。これによって、記録媒体を再生するＤＶＤプレーヤ等の再生装置でモニタ等に再生表示させることにより、静止画像に対応したコマ番号画像等の識別情報を字幕のように同時に表示させることが可能となる。
【００１６】
すなわち、動画像を鑑賞する如く撮影画像を鑑賞することが可能となり、画像の閲覧性を向上することができる。また、副映像ストリームによってコマ番号画像等を字幕のように表示させることができ、当該コマ番号画像等の識別情報を表す画像を確認することによってプリント注文を容易に行うことが可能となる。
【００１７】
そして、写真プリント作成時には、記録媒体に記録された静止画データを用いて写真プリントを作成することができるので、高解像度の静止画データを用いて写真プリントを作成することができる。
【００１８】
請求項２に記載の発明は、写真プリントを作成するための注文情報と、静止画像を表す静止画データに基づいて、写真プリントを作成する写真プリント注文システムであって、請求項１に記載の写真プリント注文用情報生成装置と、前記記録手段によって記録された前記多重化ストリームを読み取る読取手段と、前記読取手段によって読み取った多重化ストリームに基づいて、動画像を再生表示する再生手段と、を備えた再生装置と、前記再生装置の前記再生表示に基づいて予め作成した前記注文情報を入力するための注文情報入力手段と、前記注文情報入力手段によって入力された前記注文情報に対応する静止画データを前記記録媒体から読み取るデータ読取手段と、前記注文情報入力手段によって入力された注文情報、及び前記データ読取手段によって読み取った静止画データに基づいて、写真プリントを作成する作成手段と、を備えたプリント作成装置と、からなることを特徴としている。
【００１９】
請求項２に記載の発明によれば、請求項１に記載の写真プリント注文用情報生成装置によって、写真プリント注文用情報が記録された記録媒体を上述のようにして得ることができる。
【００２０】
そして、記録手段によって記録媒体に記録された写真プリント注文用情報としての多重化ストリームを読取手段によって読み取って、再生手段によって再生表示することで、動画像を鑑賞する如く撮影画像を鑑賞することができ、画像の閲覧性を向上することができる。
【００２１】
また、副映像ストリームによってコマ番号画像等の識別画像を字幕のように表示させることができるので、画像を鑑賞しつつ、写真プリントを注文するコマ番号等の画像を見ながら写真プリント作成用の注文書等の注文情報（例えば、コマ番号やプリント枚数等）を作成することが可能となり、プリント注文を容易に行うことができる。
【００２２】
また、写真プリント作成装置では、上述のように再生装置の再生表示に基づいて予め作成した注文情報を注文情報入力装置に入力することによって、読取手段によって注文情報に対応する静止画データが記録媒体から読み取られる。そして、作成手段では、注文情報に応じた静止画像とそのプリント枚数分のプリントが、読取手段によって読み取られた静止画データに基づいて作成される。すなわち、印画紙等の感光材料に注文情報に応じた画像を形成した写真プリントを作成することができる。
【００２３】
また、このとき、記録媒体に記録された静止画データを用いて写真プリントを作成するので、高解像度の写真プリントを作成することができる。
【００２４】
【発明の実施の形態】
以下、図面を参照して本発明の実施の形態の一例を詳細に説明する。
【００２５】
図１には、本発明の実施の形態に係わる写真プリント注文システムの概略構成を示す。
【００２６】
本発明の実施の形態に係わる写真プリント注文システム１０は、デジタルカメラ等の撮影によって取得される静止画像を表す複数の静止画データを動画像形式の動画データに変換して、変換された動画データ及び変換前の静止画データを写真プリント注文用情報としてＤＶＤビデオディスクに記録する記録サービスと、当該ＤＶＤビデオディスクに記録された静止画データに基づいて画像を印画紙等の感光材料に記録する写真プリントサービスを提供するものである。
【００２７】
なお、図１における点線で示す部分は、記録サービスが終了してから写真プリントサービスを受けるまでにユーザが行う動作を示す。
【００２８】
本発明の実施の形態に係わる写真プリント注文システム１０は、図１に示すように、記録サービスを行う写真プリント注文用情報生成装置１２と、写真プリントを作成する写真プリントサービスを行う写真プリント装置１４とを有しており、写真プリント注文用情報生成装置１２によって動画像形式の動画データを生成してＤＶＤビデオディスクに記録することによって、一般的なＤＶＤプレーヤによって容易に画像を鑑賞することができる。すなわち、ＤＶＤビデオディスクに記録された画像をＤＶＤプレーヤで再生して、鑑賞しながら写真プリントを作成する画像の選択を行うことが可能となる。
【００２９】
写真プリント注文用情報生成装置１２は、注文情報生成装置１６、編集装置１８、及びディスク書込装置２０を備えており、注文情報生成装置１６は、デジタルカメラ等の撮影装置の撮影によって得られる撮影画像を表す静止画データを取り込むと共に、当該静止画データを動画像形式の動画データに変換するための編集指示情報が入力されるようになっている。例えば、編集指示情報は、キーボード等の入力装置１５を用いて、複数の静止画データを動画像形式の動画データに変換するための複数の静止画データを並べる順番等を入力することが可能である。
【００３０】
また、注文情報生成装置１６は、静止画データを取り込む際に、各静止画データを識別するためのコマ番号情報も同時に取り込むようになっている。
【００３１】
なお、注文情報生成装置１６に取り込む撮影画像は、例えば、写真フィルム等を読み取る読取手段を備えて、写真フィルムのコマ画像を読み取ることによって取り込むようにしてもよい。この場合には、各コマ画像を識別する識別情報を同時に読み取る。
【００３２】
注文情報生成装置１６は、入力された複数の静止画データを所定の形式の画像データに変換して編集装置１８へ出力すると共に、編集指示情報及び各画像データのコマ番号情報を所定のフォーマットの編集データ及びコマ番号データに変換して編集装置１８へ出力するようになっている。注文情報生成装置１６は、静止画データを所定の形式の動画データに変換する際に、動画像形式の画像データに適する解像度に変換する。例えば、画素を間引く等の処理を行って解像度を低下させる処理等を行う。
【００３３】
編集装置１８は、映像ストリーム生成装置２２、副映像ストリーム生成装置２４、及びストリーム多重化装置２６を備えている。
【００３４】
映像ストリーム生成装置２２は、編集データに基づいて、静止画データを並べ替えると共に、入力された複数の静止画データを並べ替えた静止画データの順となるように、フレーム画像を生成することによって動画像形式の動画データに変換して映像ストリームを作成するようになっている。
【００３５】
副映像ストリーム生成装置２４は、映像ストリーム生成装置２２によって変換された動画像形式の動画データの各フレーム画像（静止画像）に対応したコマ番号を表すコマ番号画像が、各フレーム画像に対応するように、コマ番号画像の副映像ストリームを作成するようになっている。例えば、字幕等のように映像に対応する副映像ストリームを作成する。
【００３６】
なお、コマ番号画像からなる副映像ストリームは、コマ番号に対応するフレーム画像の番号や、コマ番号に対応するフレーム画像の時間にコマ番号画像を対応させたデータとすることによって、フレーム画像とコマ番号画像を対応させることが可能である。
【００３７】
そして、ストリーム多重化装置２６は、映像ストリーム生成装置２２で作成された映像ストリーム、及び映像ストリーム生成装置２４で作成された副映像ストリームを多重化して多重化ストリーム（以下、ＤＶＤビデオデータ）を作成するようになっている。
【００３８】
ストリーム多重化装置２６で作成されたＤＶＤビデオデータは、ディスク書込装置２０によってＤＶＤビデオディスク２８に書き込まれる。これによって、図２に示すような、テレビ等のモニタ５２が接続された一般的なＤＶＤプレーヤ５０でＤＶＤビデオディスク２８を再生することで、ユーザは動画像を鑑賞する如く撮影画像を鑑賞することが可能となる。また、副映像ストリームによってコマ番号を字幕のように表示させることができ、当該コマ番号画像を確認することで、プリント注文するためのコマ番号を確認できるので、プリント注文を容易に行うことが可能となる。なお、副映像ストリームによるコマ番号画像は、字幕のようにオンオフできるようにしてもよい。例えば、一般的なＤＶＤプレーヤ５０に設けられる字幕オンオフスイッチ等を操作することによってコマ番号画像を表示／非表示を選択することが可能である。
【００３９】
また、ディスク書込装置２０は、コマ番号情報を含むオリジナルの静止画データもＤＶＤビデオディスク２８に書き込むようになっている。すなわち、写真プリント作成時には、高解像度のオリジナルの静止画データを用いて写真プリントを作成することができる。
【００４０】
なお、ＤＶＤビデオディスク２８に書き込まれた静止画データは、コマ番号を指定することで、対応する静止画データを読み出すことができるようになっている。
【００４１】
一方、写真プリント装置１４は、ユーザが一般的なＤＶＤプレーヤでＤＶＤビデオディスク２８を再生することによって画像を確認して、写真プリントを注文する画像のコマ番号やプリント枚数等の写真プリント注文情報を入力するための注文情報入力装置３０を有しており、当該注文情報入力装置３０によって写真プリントを注文する画像のコマ番号やプリント枚数等を入力することができるようになっている。
【００４２】
また、写真プリント装置１４は、ディスク読取装置３２を備えており、ＤＶＤビデオディスク２８に記録されたオリジナル静止画データのうち、注文情報入力装置３０によって入力された注文情報に対応する静止画データを読み出して、プリント作成装置３４に出力するようになっている。
【００４３】
プリント作成装置３４は、ディスク読取装置３２によって読み出された静止画データに基づく写真プリントの作成が行われる。すなわち、プリント作成装置３４では、静止画データに基づいて、印画紙等の写真感光材料への画像形成を行うことによって写真プリントを作成する。
【００４４】
また、プリント作成装置３４は、写真プリント作成時には、注文情報入力装置３０に入力されたコマ番号情報に対応するプリント枚数分、写真プリントを作成するようになっている。
【００４５】
続いて、上述のように構成された写真プリント注文システム１０における写真プリント注文用情報生成装置１２で行われる記録サービスについて図３のフローチャートを参照して説明する。
【００４６】
まず、ステップ１００では、コマ番号を含む静止画データが注文情報生成装置１６に入力されたか否か判定される。該判定は、デジタルカメラ等の撮影装置の撮影によって得られる撮影画像を表す静止画データや写真フィルムのコマ画像を読み取ることによって得られる静止画データが注文情報生成装置１６に取り込まれたか否かを判定することによってなされ、該判定が否定された場合には、肯定されるまで待機してステップ１０２へ移行する。
【００４７】
ステップ１０２では、編集指示情報が注文情報生成装置１６に入力されたか否か判定される。該判定は、複数の静止画データを動画像形式の動画データに変換するための静止画像を並べる順番等がキーボード等の入力装置１５を介して入力されたか否か判定することによってなされ、該判定が否定された場合には、肯定されるまで待機してステップ１０４へ移行する。
【００４８】
ステップ１０４では、注文情報生成装置１６によって、入力された複数の静止画データが所定の形式の静止画データに変換されると共に、編集指示情報及び各静止画データに含まれるコマ番号情報が所定のフォーマットに変換されて編集データ及びコマ番号データが生成される。そして、ステップ１０６では、コマ番号データ及び編集データが副映像ストリームに出力され、ステップ１０８では、編集データ及び所定の形式に変換された静止画データが映像ストリーム生成装置２２へ出力される。
【００４９】
次に、ステップ１１０では、コマデータ及び編集データに基づいて副映像ストリームが作成される。すなわち、編集データに応じた順番のコマ番号画像が表示されるように副映像ストリームが作成される。なお、コマ番号画像は、後段の映像ストリームの画像データに対応する時間またはフレーム画像に対応して表示されるように副映像ストリームが作成される。
【００５０】
また、ステップ１１２では、編集データ及び画像データに基づいて映像ストリームが作成される。すなわち、編集データに応じた順番となるように静止画データが動画像形式の動画データに変換されて映像ストリームが作成される。
【００５１】
続いて、ステップ１１４では、映像ストリーム生成装置２４で作成された副映像ストリーム、及び映像ストリーム生成装置２２で作成された映像ストリームが、ストリーム多重化装置２６によって多重化されてＤＶＤビデオデータが作成される。例えば、作成されたＤＶＤビデオデータは、静止画像をスライドショウのように連続して表示するように動画化され、それぞれに対応するコマ番号画像が字幕のように表示される動画像形式のＤＶＤビデオデータが作成される。
【００５２】
そして、ステップ１１６では、ストリーム多重化装置２６によって作成されたＤＶＤビデオデータがＤＶＤビデオディスク２８に書き込まれて、一連の処理を終了する。
【００５３】
このようにして、作成されたＤＶＤビデオディスク２８は、図２に示すような一般的なＤＶＤプレーヤ５０によって再生可能であり、ユーザは、当該ＤＶＤプレーヤ５０によって再生された画像及びコマ番号画像を鑑賞しながら写真プリントする画像を選択することが可能となる。
【００５４】
ここで、ユーザが所定の写真プリント作成用の注文用紙等に写真プリントを作成するコマ番号やプリント枚数等を記録して写真プリント注文システム１０を有するサービス店等に写真プリントを注文した場合に、写真プリント作成装置３４で行われる処理について図４のフローチャートを参照して説明する。
【００５５】
ステップ２００では、写真プリント装置１４の注文情報入力装置３０に注文情報が入力されたか否か判定される。該判定は上述のように、ユーザがＤＶＤビデオディスク２８を再生鑑賞しながら所定の写真プリント作成用の注文用紙等に記載した写真プリントを作成するコマ番号やプリント枚数等を見ながら、オペレータが当該コマ番号やプリント枚数等を注文情報入力装置３０に入力したか否かを判定することによってなされ、該判定が否定された場合には、肯定されるまで待機してステップ２０２へ移行する。
【００５６】
ステップ２０２では、ディスク読取装置３２によって注文情報に対応するコマ番号の静止画データがＤＶＤビデオディスク２８から読み取られる。なお、コマ番号に対応する静止画データは、高解像度のオリジナルの静止画データが読み出される。
【００５７】
続いて、ステップ２０４では、注文情報に応じたプリント枚数の写真プリントが作成される。すなわち、ディスク読取装置３２によって読み取られた静止画データに基づいて、印画紙等の感光材料に画像が形成されることによって写真プリントが作成される。
【００５８】
次に、ステップ２０６では、全注文情報分の写真プリントが作成されたか否か判定される。該判定は、注文情報入力装置３０に入力された全てのコマ番号及びプリント枚数に対応する全ての写真プリントの作成が終了したか否かを判定することによってなされ、該判定が否定された場合には、ステップ２０２に戻って全注文情報分の写真プリントの作成が終了するまで、上述の処理が繰り返される。そして、全注文情報分の写真プリントの作成が終了すると、ステップ２０６の判定が肯定されて一連の処理を終了する。
【００５９】
このように、本発明の実施の形態に係わる写真プリント注文システム１０では、デジタルカメラ等の撮影装置を用いて撮影することによって得られる静止画データや、写真フィルムに記録されたコマ画像を読み取ることによって得られる静止画データを動画像形式の動画データに変換して、ＤＶＤビデオディスク２８に記録するので、画像の閲覧性を向上するができる。そして、このときに、各コマ番号を表す画像を副映像ストリームとして作成して多重化するので、閲覧時に各フレーム画像（静止画像）に対応するコマ番号画像を字幕のように表示させることができ、これによって写真プリントを注文する際に、注文情報を容易に作成することができ、写真プリントの注文を容易に行うことができる。
【００６０】
また、ＤＶＤビデオディスク２８には、動画像形式に変換された動画データの他にオリジナルの静止画データも同時に記録し、写真プリント作成時には、当該オリジナル静止画データを用いて写真プリントを作成するので、画質を低下させることなく高画質な写真プリントを作成することができる。
【００６１】
なお、上記の実施の形態では、ディスク書込装置２０によってＤＶＤビデオデータ及びオリジナルの静止画データをＤＶＤビデオディスク２８に記録するようにしたが、オリジナルの静止画データをＤＶＤプレーヤで再生可能な静止画像形式の画像データに変換して記録するようにしてもよく、これによって高画質な静止画像も一般的なＤＶＤプレーヤで再生表示することも可能となる。
【００６２】
【発明の効果】
以上説明したように本発明によれば、静止画データを動画データに変換するための編集データに基づいて、静止画データをフレーム画像として動画像形式の動画データを生成することにより映像ストリームを生成すると共に、映像ストリームの各フレーム画像に対応する静止画像の識別情報を表す識別画像を生成し、編集データに基づいて、映像ストリームの各フレーム画像に識別画像を対応させた副映像ストリームを生成し、それぞれのストリームを多重化して多重化ストリームを生成して記録媒体に記録することにより、記録媒体を再生する再生装置で再生することで、撮影画像を動画像を鑑賞する如く静止画像を鑑賞することができるので、撮影画像の閲覧性を向上することができる、という効果がある。
【００６３】
また、再生装置で再生する際には、各フレーム画像に対応する識別画像を同時に再生することができるので、写真プリントの注文を容易に行うことができる、という効果がある。
【図面の簡単な説明】
【図１】本発明の実施の形態に係わる写真プリント注文システムの概略構成を示すブロック図である。
【図２】一般的なＤＶＤプレーヤを示す斜視図である。
【図３】本発明の実施の形態に係わる写真プリント注文システムにおける写真プリント注文用情報生成装置で行われる記録サービスの流れを示すフローチャートである。
【図４】本発明の実施の形態に係わる写真プリント注文システムにおける写真プリント作成装置で行われる処理の流れを示すフローチャートである。
【符号の説明】
１０　　写真プリント注文システム
１２　　写真プリント注文用情報生成装置
１４　　写真プリント作成装置
１５　　入力装置
１６　　注文情報生成装置
１８　　編集装置
２０　　ディスク書込装置
２２　　映像ストリーム生成装置
２４　　副映像ストリーム生成装置
２６　　ストリーム多重化装置
２８　　ＤＶＤビデオディスク
３０　　注文情報入力装置
３２　　ディスク読取装置
３４　　プリント作成装置
５０　　ＤＶＤプレーヤ
５２　　モニタ
【図１】
2004128686.tif 000003
【図２】
2004128686.tif 000004
【図３】
2004128686.tif 000005
【図４】
2004128686.tif 000006